(57)【要約】【課題】本発明は、ボルト頭部の形状によらずテンションボルトの緩みを規制することのできるドラム用テンションボルトの緩み止めを提供することにある。【解決手段】緩み止め２０は、本体部２１と、本体部２１に装着される弾性部材としてのＯリング２２とを備えている。本体部２１は、テンションボルトのボルト頭部が嵌合される嵌合孔３０と、嵌合孔３０に嵌合されたボルト頭部を側方から把持する８つの把持部３１とを有している。各把持部３１は、嵌合孔３０の中心線Ｃ３を中心に開くと共に嵌合孔３０に嵌合されたボルト頭部を側方から把持するように構成されている。【選択図】図３
2019078988.tif 000002
【特許請求の範囲】
【請求項１】
ドラムヘッドのテンションを調節するテンションボルトに装着されるドラム用テンションボルトの緩み止めであって、
前記テンションボルトに装着された状態でドラムに当接される本体部を備え、
前記本体部は、前記テンションボルトのボルト頭部が嵌合される嵌合孔と、前記テンションボルトを側方から把持する把持部とを有し、
前記把持部は、前記嵌合孔の中心線を中心に開くように構成されている、ドラム用テンションボルトの緩み止め。
【請求項２】
請求項１に記載のドラム用テンションボルトの緩み止めにおいて、
前記嵌合孔の中心線と前記把持部との間の距離は、前記テンションボルトの軸線と側面との間の距離よりも小さい、ドラム用テンションボルトの緩み止め。
【請求項３】
請求項１又は２に記載のドラム用テンションボルトの緩み止めにおいて、
前記把持部は、平坦な把持面を有し、
前記把持部は、前記把持面によって断面多角形状のテンションボルトの平坦な側面を把持するように構成されている、ドラム用テンションボルトの緩み止め。
【請求項４】
請求項３に記載のドラム用テンションボルトの緩み止めにおいて、
前記把持部は、前記把持面によって前記テンションボルトの側面における幅方向の端部を把持するように構成されている、ドラム用テンションボルトの緩み止め。
【請求項５】
請求項３又は４に記載のドラム用テンションボルトの緩み止めにおいて、
前記把持面は、一対の把持面のうちの一つであり、
前記把持部は、前記一対の把持面のいずれか一方の把持面を用いて前記テンションボルトの側面を把持するように構成されている、ドラム用テンションボルトの緩み止め。
【請求項６】
請求項１〜５のうちいずれか一項に記載のドラム用テンションボルトの緩み止めにおいて、
前記把持部は、前記本体部の厚み方向に延びる撓み部と、前記撓み部の先端から前記嵌合孔の中心線に向けて突出する爪部とを備えている、ドラム用テンションボルトの緩み止め。
【請求項７】
請求項６に記載のドラム用テンションボルトの緩み止めにおいて、
前記把持部は、前記撓み部の先端から基端にかけて前記嵌合孔の中心線から離れるように延びている、ドラム用テンションボルトの緩み止め。
【請求項８】
請求項１〜７のうちいずれか一項に記載のドラム用テンションボルトの緩み止めにおいて、
前記本体部は、前記把持部の周囲に、前記本体部の厚み方向に深さを有する凹部を有し、
前記把持部は、前記本体部における前記嵌合孔と前記凹部との間の部分である、ドラム用テンションボルトの緩み止め。
【請求項９】
請求項８に記載のドラム用テンションボルトの緩み止めにおいて、
前記凹部には、弾性部材が配置されている、ドラム用テンションボルトの緩み止め。
【請求項１０】
請求項１〜９のうちいずれか一項に記載のドラム用テンションボルトの緩み止めにおいて、
前記本体部は、前記テンションボルトに装着された状態で前記ドラムに当接される外側部を有し、
前記外側部には、前記テンションボルトの回転方向に対応する回転許容角度を有するクリアランスが設けられている、ドラム用テンションボルトの緩み止め。
【発明の詳細な説明】
【技術分野】
【０００１】
本発明は、ドラム用テンションボルトの緩み止めに関する。
【背景技術】
【０００２】
ユーザは、ラグにテンションボルトを締め付けて、ドラムヘッドをフープと共にシェルの開口端に装着する。ドラムヘッドを装着後、ユーザは、テンションボルトの締付け量を調節することで、ドラムヘッドのテンションを調整する。しかしながら、ドラムを演奏したときに生じる振動によって、テンションボルトが緩むことで、ドラムヘッドのテンションが低下し、ドラムの音が変わってしまうことがある。
【０００３】
このため、図８（ａ）及び図８（ｂ）に示すようなテンションボルトの緩み止め１００が提案されている。ドラムヘッドのテンションを調整した後、テンションボルトが緩まないようにするため、緩み止め１００が、テンションボルトのボルト頭部ＴＢＨに装着されて、ボルト頭部ＴＢＨとフープＨとの間に嵌め込まれる。ドラムヘッドのテンションを再調整する場合、ユーザは、ボルト頭部ＴＢＨから緩み止め１００を取り外すか、又はボルト頭部ＴＢＨに緩み止め１００を取り付けたままにして、テンションボルトの締め付け量を再調節する。
【０００４】
これとは別に、例えば、特許文献１に開示されるようなテンションボルトの緩み止めも提案されている。この文献に開示の緩み止めは、専用のテンションボルトと共に使用される。この緩み止めは、ボルト頭部が収容される上側環状部と、テンションボルトの軸部が挿通される下側筒状部とを備えている。上側環状部は、ボルト頭部の外周に配置される４つの分割壁から構成されている。下側筒状部は、フープに形成された長孔に嵌合可能に構成されている。
【０００５】
一方、ボルト頭部には、緩み止めの下側筒状部の上端面に当接されるフランジが設けられている。また、フランジの外周面には、緩み止めの上側環状部の内周面に係止される鋸状の歯が形成されている。この構成によれば、下側筒状部がフープの長孔に嵌合されることで、フープに対する緩み止めの回転が規制される。また、フランジ部の鋸状の歯が上側環状部の内周面に係止されることで、緩み止めに対するテンションボルトの回転が規制される。これらによって、ドラムの演奏時においても、テンションボルトが緩まなくなる。
【先行技術文献】
【特許文献】
【０００６】
【特許文献１】米国特許第６４５９０２６号明細書
【発明の概要】
【０００７】
しかしながら、上記従来構成の緩み止めには、以下のような問題がある。ドラムを演奏する前のチューニング作業中に、ユーザは、テンションボルトに対して緩み止めを装着したり取り外したり又はテンションボルトに緩み止めを装着したままにしてテンションボルトの締め付け量を調節することを頻繁に行う。このため、図８（ａ）及び図８（ｂ）に示す緩み止め１００を、例えば、断面四角形状のボルト頭部ＴＢＨを有するテンションボルトに用いた場合、丸孔１００ａがボルト頭部ＴＢＨの角部によって広がり易く、変形し易い。このため、緩み止め１００によりテンションボルトの緩みを規制する効果は、使用し始めてから徐々に低下する。
【０００８】
また、ボルト頭部ＴＢＨの角部の寸法が小さく、ボルト頭部ＴＢＨの角部が丸孔１００ａの内周面に引っ掛かりが浅い場合、緩み止め１００は、テンションボルトの緩みを十分に規制することができない。また、この場合、緩み止め１００が下側のテンションボルトに装着されると、ボルト頭部ＴＢＨから脱落し易い。一方、ボルト頭部ＴＢＨの角部の寸法が大きく、丸孔１００ａの内周面にボルト頭部ＴＢＨの角部が引っ掛かり過ぎる場合、緩み止め１００は、ボルト頭部ＴＢＨに対する装着や取り外しに加え、ボルト頭部ＴＢＨに緩み止め１００を装着したままにしてテンションボルトの締め付け量を調節することも難しくなる。
【０００９】
特許文献１に開示の緩み止めは、上述したように、専用のテンションボルトと長孔を有するフープとを使用しない限り、テンションボルトの緩み止めとして機能することができない。つまり、緩み止めと共に使用できるテンションボルトやフープの種類が限られている。よって、テンションボルトの緩み止めとして、その汎用性は低い。また、この文献に開示の緩み止めの場合、緩み止めが一旦テンションボルトに取り付けられると、緩み止めの下側筒状部がテンションボルトのフランジの下に装着されるため、緩み止めをテンションボルトから取り外すことができない。
【発明が解決しようとする課題】
【００１０】
本発明の目的は、ボルト頭部の形状によらずテンションボルトの緩みを規制することのできるドラム用テンションボルトの緩み止めを提供することにある。
【課題を解決するための手段】
【００１１】
上記の目的を達成するために、請求項１に記載の発明は、ドラムヘッドのテンションを調節するテンションボルトに装着されるドラム用テンションボルトの緩み止めであって、テンションボルトに装着された状態でドラムに当接される本体部を備え、本体部は、テンションボルトのボルト頭部が嵌合される嵌合孔と、テンションボルトを側方から把持する把持部とを有し、把持部は、嵌合孔の中心線を中心に開くように構成されていることを要旨とする。
【００１２】
この構成によれば、テンションボルトに緩み止めが装着されると、把持部は、ボルト頭部により側方に押し広げられて、嵌合孔の中心線を中心に開く。また、把持部は、ボルト頭部の形状に合わせて開いた状態で、ボルト頭部を側方から把持する。これらにより、緩み止めは、ボルト頭部の形状によらず、テンションボルトへの着脱が容易となることに加え、着脱が繰り返されることへの耐久性も高くなる。また、緩み止めが下側のテンションボルトに装着されても、ボルト頭部から脱落し難くなる。よって、ボルト頭部の形状によらずテンションボルトの緩みを規制することができる。
【００１３】
請求項２に記載の発明は、請求項１に記載の発明において、嵌合孔の中心線と把持部との間の距離は、テンションボルトの軸線と側面との間の距離よりも小さいことを要旨とする。
【００１４】
この構成によれば、嵌合孔の中心線と把持部との間の距離をテンションボルトの軸線と側面との間の距離よりも小さくすることにより、テンションボルトに緩み止めが装着されている状態で、把持部を、テンションボルトの側面に確実に接触させることができる。このため、把持部によりテンションボルトを把持する力を、把持部からテンションボルトの側面へと確実に伝達することができる。よって、テンションボルトの緩みを効果的に規制することができる。
【００１５】
請求項３に記載の発明は、請求項１又は２に記載の発明において、把持部は、平坦な把持面を有し、把持部は、把持面によって断面多角形状のテンションボルトの平坦な側面を把持するように構成されていることを要旨とする。
【００１６】
この構成によれば、テンションボルトに緩み止めが装着されている状態で、把持部の平坦な把持面を、テンションボルトの平坦な側面に確実に面接触させることができる。このため、把持部によりテンションボルトを把持する力を、把持面からテンションボルトの側面へとより確実に伝達することができる。また、断面多角形状のテンションボルトの場合、側面の寸法に生じるばらつきは比較的小さい。このため、把持部がボルト頭部の角部を把持する構成よりも、緩み止めの汎用性を高くすることができる。
【００１７】
請求項４に記載の発明は、請求項３に記載の発明において、把持部は、把持面によって、テンションボルトの側面における幅方向の端部を把持するように構成されていることを要旨とする。
【００１８】
この構成によれば、把持部がテンションボルトの側面における幅方向の中央を把持する場合と比較して、テンションボルトに緩み止めを装着したままにしてテンションボルトを回転させるとき、把持面の側方への移動量を小さく抑えることができる。このため、把持部によりテンションボルトの緩みを規制する力を、ドラムの演奏時にはテンションボルトの緩みを規制しつつドラムヘッドのテンションを調節する際にはテンションボルトの締め付け量を調節できる最適な大きさに設定することができる。
【００１９】
請求項５に記載の発明は、請求項３又は４に記載の発明において、把持面は、一対の把持面のうちの一つであり、把持部は、一対の把持面のいずれか一方の把持面を用いてテンションボルトの側面を把持するように構成されていることを要旨とする。
【００２０】
この構成によれば、把持部が一方の把持面でテンションボルトを把持したときのテンションボルトの回転位置を、把持部が他方の把持面でテンションボルトを把持したときのテンションボルトの回転位置と異ならせることができる。つまり、把持部が一つの把持面しか有しない構成と比較して、テンションボルトを一回転させる範囲内で、把持部が把持できるテンションボルトの回転位置の数を増やすことができる。このため、緩み止めによりテンションボルトの緩みが規制されている状態で、テンションボルトを小刻みに回転させることができ、ドラムヘッドのテンションを微調整することができる。
【００２１】
請求項６に記載の発明は、請求項１〜５のうちいずれか一項に記載の発明において、把持部は、本体部の厚み方向に延びる撓み部と、撓み部の先端から嵌合孔の中心線に向けて突出する爪部とを備えていることを要旨とする。
【００２２】
この構成によれば、把持部は、撓み部を撓ませることによって、テンションボルトの側面により側方に押し広げられると共に、テンションボルトを側方から弾性的に把持することができる。また、撓み部を本体部の厚み方向に延びる形状とすることで、把持部の長さが大きくなり、把持部は撓み易くなる。これにより、把持部の耐久性を高くすることができる。また、把持部の幅を小さくして、把持部の数を増やすこともできる。これによっても、把持部の耐久性をより一層高くすることができる。
【００２３】
請求項７に記載の発明は、請求項６に記載の発明において、把持部は、撓み部の先端から基端にかけて嵌合孔の中心線から離れるように延びていることを要旨とする。
この構成によれば、把持部が撓み部の先端から基端にかけて嵌合孔の中心線から離れるように延びているため、ボルト頭部の基端付近と把持部との間に空間を確保することができる。これにより、緩み止めは、テンションボルトに装着された状態で、ボルト頭部の基端付近と干渉し難くなる。このため、ボルト頭部の形状が異なるテンションボルトに対しても、緩み止めを使用することが容易となる。よって、緩み止めの汎用性を更に高くすることができる。
【００２４】
請求項８に記載の発明は、請求項１〜７のうちいずれか一項に記載の発明において、本体部は、把持部の周囲に、本体部の厚み方向に深さを有する凹部を有し、把持部は、本体部における嵌合孔と凹部との間の部分であることを要旨とする。
【００２５】
この構成によれば、本体部において、把持部の周囲に凹部を設けると共に嵌合孔と凹部との間の部分を把持部としたことで、本体部の厚みを利用して把持部を形成することができる。この場合、緩み止めの厚みが小さく抑えられるため、工具等でボルト頭部が掴み易くなる。このため、テンションボルトに緩み止めを取り付けたままにしてテンションボルトの締め付け量を調節する作業が容易に行える。
【００２６】
請求項９に記載の発明は、請求項８に記載の発明において、凹部には、弾性部材が配置されていることを要旨とする。
この構成によれば、テンションボルトが嵌合孔に嵌合されると、把持部は、嵌合孔の中心線を中心に押し広げられると共に、凹部内に配置された弾性部材を圧縮する。このとき、弾性部材には圧縮により弾性力が生じる。よって、弾性部材の弾性力をテンションボルトの緩みを規制する力に利用することで、テンションボルトの緩み止めとして機能を更に高めることができる。
【００２７】
請求項１０に記載の発明は、請求項１〜９のうちいずれか一項に記載の発明において、本体部は、テンションボルトに装着された状態でドラムに当接される外側部を有し、外側部には、テンションボルトの回転方向に対応する回転許容角度を有するクリアランスが設けられていることを要旨とする。
【００２８】
この構成によれば、緩み止めを、最大でクリアランスの回転許容角度だけ向きを変えて、テンションボルトに装着することができる。これにより、テンションボルトの回転位置によらずテンションボルトに緩み止めを装着することが可能となる。
【発明の効果】
【００２９】
本発明によれば、ボルト頭部の形状によらずテンションボルトの緩みを規制することができる。
【図面の簡単な説明】
【００３０】
【図１】本発明の一実施形態に係る緩み止めを適用したドラムの斜視図。
【図２】テンションボルトに装着される緩み止めを下方から見たときの斜視図。
【図３】緩み止めを構成する本体部及びＯリングの斜視図。
【図４】緩み止めの平面図。
【図５】緩み止めの縦断面図。
【図６】（ａ）緩み止めを第１の向きでテンションボルトに装着した状態を示す平面図、（ｂ）緩み止めを第２の向きでテンションボルトに装着した状態を示す平面図。
【図７】（ａ）テンションボルトのボルト頭部を把持している緩み止めの平面図、（ｂ）テンションボルトを元の位置から４５度回転させた後の状態を示す緩み止めの平面図。
【図８】（ａ）従来の緩み止めの斜視図、（ｂ）緩み止めがテンションボルトに装着されている状態を示す斜視図。
【発明を実施するための形態】
【００３１】
以下、本発明に係るドラム用テンションボルトの緩み止めを具体化した一実施形態について図１〜図７（ｂ）を参照して説明する。
図１及び図２に示すように、ドラム１０は、円筒状のシェル１１と、シェル１１の開口端を塞ぐドラムヘッド１２と、シェル１１の開口端に外装されるフープ１３とを備えている。また、ドラム１０は、シェル１１の外周面に等間隔を空けて固定された複数のラグ１４と、各ラグ１４の上下両端面のネジ孔に螺着された複数のテンションボルト１５とを備えている。
【００３２】
テンションボルト１５は、フープ１３のフランジ面１３ａに当接されるフランジ部１５ａと、工具等に把持されるボルト頭部１５ｂと、ラグ１４に螺着されるネジ軸部１５ｅとを備えている。ボルト頭部１５ｂは、略断面正方形状を有している。このため、ボルト頭部１５ｂは、平坦面からなる４つの側面１５ｃと、４つの角部１５ｄとを有している。ボルト頭部１５ｂの基端１５ｆは、フランジ部１５ａに向けて広がる形状を有している。
【００３３】
各テンションボルト１５のボルト頭部１５ｂには、テンションボルト１５が緩まないようにするため、緩み止め２０が装着される。緩み止め２０は、ボルト頭部１５ｂに装着されることで、ボルト頭部１５ｂとフープ１３の外周面１３ｂとの間に嵌め込まれる。緩み止め２０は、その一部をフープ１３の外周面１３ｂに当接させることで、テンションボルト１５の緩みを規制する。上側のドラムヘッド１２をシェル１１に固定する上側のテンションボルト１５には、緩み止め２０が、テンションボルト１５の上方から装着される。また、下側のドラムヘッドをシェル１１に固定する下側のテンションボルト１５には、緩み止め２０が、テンションボルト１５の下方から装着される。
【００３４】
図３〜図５に示すように、緩み止め２０は、本体部２１と、本体部２１に装着される弾性部材としてのＯリング２２とを備えている。本体部２１は、樹脂材料からなり、所定の厚みを有する板状に形成されている。また、本体部２１は、細長い略六角形の平面形状を有している。Ｏリング２２は、伸縮性を有するゴム材料からなる。本体部２１の上面２１ａには、Ｏリング２２が嵌め込まれる環状凹部２５が形成されている。環状凹部２５は、本体部２１の厚さの約１／２〜２／３に相当する深さを有している。
【００３５】
本体部２１は、上面２１ａ及び下面２１ｂと、長手方向に位置する一対の端部２１ｃと、幅方向に位置する一対の外側部２１ｄ，２１ｅとを備えている。一対の外側部２１ｄ，２１ｅは、本体部２１の長軸Ｃ１に対して左右対称である。各外側部２１ｄ，２１ｅは、丸みを帯びた角部２６と、角部２６から各端部２１ｃにかけて延びる一対の側面２７とを有している。一対の側面２７は、両外側部２１ｄ，２１ｅの角部２６を通過する横軸Ｃ２に対して左右対称である。
【００３６】
一対の側面２７はいずれも、緩み止め２０がテンションボルト１５に装着された状態でフープ１３の外周面１３ｂに当接される部分であり、平坦面である。一方の側面２７と他方の側面２７とがなす角度をαとした場合、各外側部２１ｄ，２１ｅには、（１８０−α）度の回転許容角度βを有するクリアランス２８がそれぞれ設けられている。
【００３７】
本体部２１は、嵌合孔３０と、８つの把持部３１とを有している。嵌合孔３０には、ボルト頭部１５ｂの基端１５ｆが嵌合される。嵌合孔３０は、本体部２１の下面２１ｂに開口した丸孔からなる。嵌合孔３０は、ボルト頭部１５ｂの基端１５ｆと同じく、本体部２１の下面２１ｂに広がる形状を有している。また、嵌合孔３０の直径は、ボルト頭部１５ｂの基端１５ｆの外径よりも僅かに大きい。このため、嵌合孔３０の内周面とボルト頭部１５ｂの基端１５ｆとの間には、空間が確保される。
【００３８】
嵌合孔３０は、環状凹部２５の内側に形成されている。嵌合孔３０は、環状凹部２５と同軸上に配置されている。嵌合孔３０は、環状凹部２５と共に、本体部２１の中心から偏心した位置に設けられている。このため、一対の外側部２１ｄ，２１ｅのうちの一方を第１外側部２１ｄとし、他方を第２外側部２１ｅとした場合、嵌合孔３０の中心線Ｃ３は、第２外側部２１ｅよりも第１外側部２１ｄに近接している。また、嵌合孔３０の中心線Ｃ３と第１外側部２１ｄとの間の距離Ａ１は、嵌合孔３０の中心線Ｃ３と第２外側部２１ｅとの間の距離Ａ２よりも小さくなっている。
【００３９】
８つの把持部３１は、本体部２１にそれぞれ独立して形成されている。８つの把持部３１は、同一形状及び同一寸法をそれぞれ有している。各把持部３１は、嵌合孔３０と環状凹部２５との間に位置する本体部２１の部分からなる。各把持部３１は、嵌合孔３０の中心線Ｃ３の周りに等間隔を空けてそれぞれ配置されている。また、各把持部３１は、嵌合孔３０の中心線Ｃ３を向いて、４５度の等角度間隔でそれぞれ配置されている。
【００４０】
各把持部３１は、嵌合孔３０に嵌合されたボルト頭部１５ｂにより側方に押し広げられることで、嵌合孔３０の中心線Ｃ３を中心に開くように構成されている。各把持部３１は、嵌合孔３０に嵌合されたボルト頭部１５ｂを側方から把持するように構成されている。各把持部３１は、環状凹部２５内のＯリング２２と共に、ボルト頭部１５ｂを弾性的に把持するように構成されている。
【００４１】
各把持部３１は、撓み部３３と、撓み部３３の先端に設けられた爪部３６とを備えている。撓み部３３は、本体部２１の厚み方向に、環状凹部２５と同じ深さだけ延びている。このため、撓み部３３は、環状凹部２５と同じく、本体部２１の厚さの約１／２〜２／３に相当する長さを有している。撓み部３３は、嵌合孔３０の中心線Ｃ３に対して接離する方向に撓むように形成されている。
【００４２】
撓み部３３は、全体として、先端から基端にかけて嵌合孔３０の中心線Ｃ３から離れるように延びている。また、撓み部３３の基端は、嵌合孔３０の内周面と連続している。このため、撓み部３３とボルト頭部１５ｂとの間の空間も、嵌合孔３０の内周面とボルト頭部１５ｂとの間の空間から連続している。
【００４３】
爪部３６は、撓み部３３の先端から嵌合孔３０の中心線Ｃ３に向けて突出している。各爪部３６は、ボルト頭部１５ｂの側面１５ｃを把持する左右一対の把持面３７を有している。把持面３７は、平坦面からなり、ボルト頭部１５ｂの側面１５ｃと面接触する。一対の把持面３７は、爪部３６の先端の稜線３８に対して左右対称である。
【００４４】
各把持部３１は、把持面３７を嵌合孔３０の中心線Ｃ３から所定の距離だけ離間させてそれぞれ配置されている。ここでは、テンションボルト１５に緩み止め２０が装着されていない状態で、嵌合孔３０の中心線Ｃ３と爪部３６の把持面３７との間の距離が、テンションボルト１５の軸線Ｃ４とボルト頭部１５ｂの側面１５ｃとの間の距離よりも小さくなっている。また、各把持部３１は、ボルト頭部１５ｂの角部１５ｄ付近、即ち、ボルト頭部１５ｂの側面１５ｃにおける幅方向の端部を把持可能な所定の位置にそれぞれ配置されている。
【００４５】
また、各把持部３１は、隣り合う把持部３１の把持面３７同士を直交させるように配置してそれぞれ配置されている。隣り合う把持部３１の一対の把持面３７からなる把持空間には、ボルト頭部１５ｂの角部１５ｄ付近が配置される。この把持空間が、嵌合孔３０の中心線Ｃ３の周りに４５度間隔で８箇所形成されている。このため、緩み止め２０は、断面正方形状のボルト頭部１５ｂに対して４５度ずつ角度をずらして装着可能となっている。また、緩み止め２０によりテンションボルト１５の緩みが規制されている状態で、テンションボルト１５は、４５度刻みで回転させることが可能となっている。
【００４６】
次に、上記の緩み止め２０の作用について図１、図５〜図７（ｂ）を参照して説明する。
図１に示すように、ユーザは、全てのテンションボルト１５をラグ１４に締め付けることによって、ドラムヘッド１２を、フープ１３と共に、シェル１１の開口端に装着する。ドラムヘッド１２をシェル１１に装着後、ユーザは、テンションボルト１５の締付け量を調節することで、ドラムヘッド１２のテンションを調整する。ドラムヘッド１２のテンションを調整した後、ユーザは、テンションボルト１５の緩みを規制するため、全てのテンションボルト１５に緩み止め２０を装着する。
【００４７】
このとき、テンションボルト１５がラグ１４に締め付けられている状態で、ボルト頭部１５ｂは、任意の方向を向いている。このため、緩み止め２０を、図６（ａ）及び図６（ｂ）の実線で示す向きに配置しても、ボルト頭部１５ｂに装着できない場合がある。この場合、図４や、図６（ａ）及び図６（ｂ）の二点鎖線に示すように、緩み止め２０を、実線で示す位置より、最大でクリアランス２８の回転許容角度βの範囲で回転させることで、ボルト頭部１５ｂに装着することができる。また、緩み止め２０を、ボルト頭部１５ｂに対して４５度ずつ角度をずらして装着することもできる。これらによって、ユーザは、任意の方向を向いたボルト頭部１５ｂに対して、緩み止め２０を装着することができる。
【００４８】
上述したように、緩み止め２０は、フープ１３の外周面１３ｂとの間に最大でクリアランス２８の回転許容角度βの隙間を空けて、ボルト頭部１５ｂに装着される。この場合、テンションボルト１５は、ドラム１０を演奏したときに生じる振動により少しずつ緩むと共に、緩みに応じた量だけ、図６（ａ）及び図６（ｂ）の反時計回りに回転する。このとき、緩み止め２０は、図６（ａ）に示す第１の向きでボルト頭部１５ｂに装着されれば、テンションボルト１５と共に、第１外側部２１ｄの側面２７をフープ１３の外周面１３ｂに接触させるまで回転する。また、緩み止め２０は、図６（ｂ）に示す第２の向きでボルト頭部１５ｂに装着されれば、テンションボルト１５と共に、第２外側部２１ｅの側面２７をフープ１３の外周面１３ｂに接触させるまで回転する。第１外側部２１ｄ又は第２外側部２１ｅの側面２７がフープ１３の外周面１３ｂに接触した後は、緩み止め２０の回転がフープ１３により規制されるため、テンションボルト１５の緩みも規制される。
【００４９】
図６（ａ）及び図６（ｂ）の二点鎖線に示すように緩み止め２０をボルト頭部１５ｂに装着した場合、テンションボルト１５は、緩み止め２０のクリアランス２８の回転許容角度βだけ緩む。テンションボルト１５の緩みがドラムヘッド１２のテンションを低下させてドラム音に影響を及ぼすことを考慮すれば、クリアランス２８の回転許容角度βは、極力小さい値に設定されることが好ましい。また、緩み止め２０がボルト頭部１５ｂに４５度ずつ角度をずらして装着可能であることを考慮すれば、クリアランス２８の回転許容角度βは、最大で４５度であればよい。
【００５０】
尚、緩み止め２０をボルト頭部１５ｂに装着する向きは、フープ１３の種類に応じて決められる。例えば、フープ１３のボルト挿通孔と外周面１３ｂとの間の距離が緩み止め２０の距離Ａ１以上でかつ距離Ａ２未満である場合、緩み止め２０は、図６（ａ）に示す第１の向きでボルト頭部１５ｂに装着される。このとき、フープ１３のボルト挿通孔と外周面１３ｂとの間の距離が緩み止め２０の距離Ａ１と同等であれば、図６（ａ）に示すように、緩み止め２０は、第１外側部２１ｄの側面２７をフープ１３の外周面１３ｂに面接触させるまで回転してから、テンションボルト１５の緩みを規制する。フープ１３のボルト挿通孔と外周面１３ｂとの間の距離が緩み止め２０の距離Ａ１よりも少し大きい場合は、緩み止め２０は、第１外側部２１ｄと端部２１ｃとがなす角部２１ｆをフープ１３の外周面１３ｂに点接触させるまで回転してから、テンションボルト１５の緩みを規制する。
【００５１】
また、フープ１３のボルト挿通孔と外周面１３ｂとの間の距離が緩み止め２０の距離Ａ２以上である場合、緩み止め２０は、図６（ｂ）に示す第２の向きでボルト頭部１５ｂに装着される。このとき、フープ１３のボルト挿通孔と外周面１３ｂとの間の距離が緩み止め２０の距離Ａ２と同等であれば、緩み止め２０は、第２外側部２１ｅの側面２７をフープ１３の外周面１３ｂに面接触させるまで回転してから、テンションボルト１５の緩みを規制する。フープ１３のボルト挿通孔と外周面１３ｂとの間の距離が緩み止め２０の距離Ａ２よりも少し大きい場合は、緩み止め２０は、第２外側部２１ｅと端部２１ｃとがなす角部２１ｇをフープ１３の外周面１３ｂに点接触させるまで回転してから、テンションボルト１５の緩みを規制する。
【００５２】
ボルト頭部１５ｂに緩み止め２０が装着されるとき、図５の矢印に示すように、各把持部３１は、ボルト頭部１５ｂの側面１５ｃにより側方に押し広げられる。これにより、各把持部３１は、嵌合孔３０の中心線Ｃ３を中心に開くようにそれぞれ変形する。このとき、各把持部３１が環状凹部２５内のＯリング２２を圧縮するため、Ｏリング２２には圧縮により弾性力が生じる。このため、各把持部３１は、ボルト頭部１５ｂの形状に合わせて開いた状態で、Ｏリング２２と共に、ボルト頭部１５ｂを側方から弾性的に把持する。これらの作用により、緩み止め２０は、ボルト頭部１５ｂの角部１５ｄ付近の形状に寸法ばらつきや誤差が生じていても、嵌合孔３０に嵌合されたボルト頭部１５ｂを確実に把持することができる。
【００５３】
また、ドラムヘッド１２のテンションを再調整する場合、ユーザは、ボルト頭部１５ｂに緩み止め２０を取り付けたままにして、テンションボルト１５の締め付け量を再調節する。ここでは、図７（ａ）及び図７（ｂ）に示すように、ボルト頭部１５ｂが、嵌合孔３０の周りに４５度間隔で配置された８つの把持部３１により把持されている。このため、ユーザは、把持部３１より把持されたテンションボルト１５を４５度ずつ回転させることができる。
【００５４】
テンションボルト１５が４５度ずつ回転する度に、各把持部３１は、撓み部３３を撓ませることによって、嵌合孔３０の中心線Ｃ３に対して接離する方向に移動する。これにより、ボルト頭部１５ｂの角部１５ｄは、把持部３１の一方の把持面３７から稜線３８を乗り越えて他方の把持面３７へと又はその逆方向に円滑に移動することができる。
【００５５】
このとき、ボルト頭部１５ｂの角部１５ｄ付近の側面１５ｃが、隣り合う把持部３１の一対の把持面３７により把持されている。言い換えれば、各把持部３１は、一対の把持面３７のうちいずれか一方の把持面３７を用いて、ボルト頭部１５ｂの側面１５ｃにおける幅方向の端部を把持している。このため、テンションボルト１５が回転するとき、各把持面３７の側方への移動量は極力小さく抑えられる。これにより、ユーザは、無理な力を加えずに、テンションボルト１５を締め付けたり、緩めたりすることができる。よって、テンションボルト１５に緩み止め２０を取り付けたままにしてテンションボルト１５の締め付け量を容易に調節することができる。
【００５６】
従って、本実施形態によれば、以下のような効果を得ることができる。
（１）各把持部３１は、嵌合孔３０の中心線Ｃ３を中心に開くと共に、嵌合孔３０に嵌合されたボルト頭部１５ｂを側方から把持するように構成されている。この構成によれば、テンションボルト１５に緩み止め２０が装着されると、各把持部３１は、ボルト頭部１５ｂにより側方に押し広げられて、嵌合孔３０の中心線Ｃ３を中心に開く。また、各把持部３１は、ボルト頭部１５ｂの形状に合わせて開いた状態で、ボルト頭部１５ｂを側方から把持する。これらにより、緩み止め２０は、ボルト頭部１５ｂの形状によらず、テンションボルト１５への着脱が容易となることに加え、着脱が繰り返されることへの耐久性も高くなる。また、緩み止め２０が下側のテンションボルト１５に装着されても、ボルト頭部１５ｂから脱落し難くなる。よって、ボルト頭部１５ｂの形状によらずテンションボルト１５の緩みを規制することができる。
【００５７】
（２）テンションボルト１５に緩み止め２０が装着されていない状態で、嵌合孔３０の中心線Ｃ３と爪部３６の把持面３７との間の距離が、テンションボルト１５の軸線Ｃ４とボルト頭部１５ｂの側面１５ｃとの間の距離よりも小さくなっている。この構成によれば、テンションボルト１５に緩み止め２０が装着されている状態で、各把持部３１を、テンションボルト１５の側面１５ｃに確実に接触させることができる。このため、各把持部３１によりテンションボルト１５を把持する力を、把持部３１からボルト頭部１５ｂの側面１５ｃへと確実に伝達することができる。よって、テンションボルト１５の緩みを効果的に規制することができる。
【００５８】
また、各把持部３１の把持面３７は、平坦面からなる。このため、断面多角形状のテンションボルト１５の場合、テンションボルト１５に緩み止め２０が装着されている状態で、把持部３１の平坦な把持面３７を、テンションボルト１５の平坦な側面１５ｃに確実に面接触させることができる。このため、各把持部３１によりテンションボルト１５を把持する力を、把持面３７からテンションボルト１５の側面１５ｃへとより確実に伝達することができる。また、断面多角形状のテンションボルト１５の場合、側面１５ｃの寸法に生じるばらつきは比較的小さい。このため、把持部３１がボルト頭部１５ｂの角部１５ｄのみを把持する構成よりも、緩み止め２０の汎用性を高くすることができる。
【００５９】
（３）各把持部３１は、ボルト頭部１５ｂの側面１５ｃにおける幅方向の端部２１ｃを把持するようにそれぞれ配置されている。この構成によれば、各把持部３１がボルト頭部１５ｂの側面１５ｃにおける幅方向の中央を把持する場合と比較して、テンションボルト１５に緩み止め２０を装着したままにしてテンションボルト１５を回転させるとき、把持面３７の側方への移動量を小さく抑えることができる。このため、各把持部３１によりテンションボルト１５の緩みを規制する力を、ドラム１０の演奏時にはテンションボルト１５の緩みを規制しつつドラムヘッド１２のテンションを調節する際にはテンションボルト１５の締め付け量を調節できる最適な大きさに設定することができる。
【００６０】
（４）各把持部３１は、一対の把持面３７のうちの一方の把持面３７を用いて、ボルト頭部１５ｂの側面１５ｃを把持する。この構成によれば、各把持部３１が一方の把持面３７でテンションボルト１５を把持したときのテンションボルト１５の回転位置を、各把持部３１が他方の把持面３７でテンションボルト１５を把持したときのテンションボルト１５の回転位置と異ならせることができる。つまり、各把持部３１が一つの把持面しか有しない構成と比較して、テンションボルト１５を一回転させる範囲内で、各把持部３１が把持できるテンションボルト１５の回転位置の数を増やすことができる。このため、緩み止め２０によりテンションボルト１５の緩みが規制されている状態で、テンションボルト１５を小刻みに回転させることができ、ドラムヘッド１２のテンションを微調整することができる。
【００６１】
（５）各把持部３１は、撓み部３３と、撓み部３３の先端に設けられた爪部３６とを備えている。この構成によれば、各把持部３１は、撓み部３３を撓ませることによって、ボルト頭部１５ｂの側面１５ｃにより側方に押し広げられると共に、テンションボルト１５を側方から弾性的に把持することができる。また、この場合、撓み部３３を本体部２１の厚み方向に延びる形状とすることで、把持部３１の長さが大きくなり、把持部３１は撓み易くなる。これにより、把持部３１の耐久性を高くすることができる。また、把持部３１の幅を小さくして、把持部３１の数を増やすこともできる。これによっても、把持部３１の耐久性をより一層高くすることができる。
【００６２】
（６）撓み部３３は、全体として、先端から基端にかけて嵌合孔３０の中心線Ｃ３から離れるように延びている。この構成によれば、ボルト頭部１５ｂの基端１５ｆ付近と把持部３１との間に空間を確保することができる。これにより、緩み止め２０は、テンションボルト１５に装着された状態で、ボルト頭部１５ｂの基端１５ｆと干渉し難くなる。このため、ボルト頭部１５ｂの形状が異なるテンションボルト１５に対しても、緩み止め２０を使用することが容易となる。よって、緩み止め２０の汎用性を更に高くすることができる。
【００６３】
（７）各把持部３１は、嵌合孔３０と環状凹部２５との間に位置する本体部２１の部分からなる。この構成によれば、本体部２１において、把持部３１の周囲に環状凹部２５を設けると共に嵌合孔３０と環状凹部２５との間の部分を把持部３１としたことで、本体部２１の厚みを利用して把持部３１を形成することができる。この場合、緩み止め２０の厚みが小さく抑えられるため、工具等でボルト頭部１５ｂが掴み易くなる。このため、テンションボルト１５に緩み止め２０を取り付けたままにしてテンションボルト１５の締め付け量を調節する作業が容易に行える。
【００６４】
（８）緩み止め２０は、本体部２１に装着されるＯリング２２を備えている。この構成によれば、テンションボルト１５が嵌合孔３０に嵌合されると、各把持部３１は、嵌合孔３０の中心線Ｃ３を中心に押し広げられると共に、環状凹部２５内に配置されたＯリング２２を圧縮する。このとき、Ｏリング２２には圧縮により弾性力が生じる。よって、Ｏリング２２の弾性力をテンションボルト１５の緩みを規制する力に利用することで、テンションボルトの緩み止めとして機能を更に高めることができる。
【００６５】
（９）緩み止め２０の各外側部２１ｄ，２１ｅの一方の側面２７と他方の側面２７とがなす角度をαとした場合、各外側部２１ｄ，２１ｅには、（１８０−α）度の回転許容角度βを有するクリアランス２８がそれぞれ設けられている。この構成によれば、緩み止め２０を、最大でクリアランス２８の回転許容角度βだけ向きを変えて、テンションボルト１５に装着することができる。これにより、テンションボルト１５の回転位置によらずテンションボルト１５に緩み止め２０を装着することが可能となる。
【００６６】
本実施形態は、以下のように変更してもよい。
・ボルト頭部１５ｂの断面形状を、長方形や六角形等、任意の多角形に変更してもよい。
【００６７】
・把持部３１の数を、テンションボルト１５の大きさや形状に応じて、適宜変更してもよい。
・各把持部３１の一対の把持面３７を、単一の平坦面に変更してもよい。
【００６８】
・また、一対の把持面３７を、断面円弧状の曲面に変更してもよい。
・各把持部３１は、ボルト頭部１５ｂの側面１５ｃにおける幅方向の端部以外の部分を把持してもよい。
【００６９】
・各把持部３１から、爪部３６を省略してもよい。この場合、撓み部３３がボルト頭部１５ｂを直接把持するように、各把持部３１を形成すればよい。また、各把持部３１の形状は、テンションボルト１５の大きさや形状に応じて、適宜変更してもよい。
【００７０】
・各把持部３１を、本体部２１の上面２１ａから延びるように形成してもよい。
・各把持部３１を、本体部２１と別の部品としてもよい。この場合、各把持部３１を本体部２１に組み付けて、緩み止め２０を構成すればよい。
【００７１】
・緩み止め２０は、フープ１３以外の部分、例えば、シェル１１の外周面に本体部２１を当接させることによって、テンションボルト１５の緩みを規制してもよい。
・Ｏリング２２に代えて、ばねやスポンジ等、任意の弾性部材を用いてもよい。
【００７２】
・緩み止め２０から、弾性部材としてのＯリング２２を省略してもよい。
・本体部２１の平面形状は、六角形以外に、任意の多角形状であってもよい。また、本体部２１の平面形状は、長軸Ｃ１に対して左右非対称でも、横軸Ｃ２に対して左右対称でもよい。要するに、本体部２１は、ドラム１０の任意の箇所に当接される当接部を有していればよい。
【００７３】
・緩み止め２０から、クリアランス２８を省略してもよい。この場合、緩み止め２０の外側部２１ｄ，２１ｅを直線状に形成してもよい。
・本体部２１は、金属材料から形成してもよい。
【符号の説明】
【００７４】
１０…ドラム、１２…ドラムヘッド、１５…テンションボルト、Ｃ４…軸線、１５ｂ…ボルト頭部、１５ｃ…側面、２０…緩み止め、２１…本体部、２１ｄ，２１ｅ…外側部、２２…Ｏリング（弾性部材）、２５…環状凹部（凹部）、２８…クリアランス、３０…嵌合孔、Ｃ３…中心線、３１…把持部、３３…撓み部、３６…爪部、３７…把持面。
【図１】
2019078988.tif 000003
【図２】
2019078988.tif 000004
【図３】
2019078988.tif 000005
【図４】
2019078988.tif 000006
【図５】
2019078988.tif 000007
【図６】
2019078988.tif 000008
【図７】
2019078988.tif 000009
【図８】
2019078988.tif 000010